(57)【特許請求の範囲】
【請求項１】
積層上片、所定数の積層中片及び積層下片が剥離可能に重ね合わせ接着される重ね合わせ接着シートの製造方法であって、
連設されている前記積層上片及び積層中片の一方面に対し、一括して接着層を形成させる工程と、
連設されている前記積層中片及び積層下片の他方面に対し、一括して剥離層を形成させる工程と、
をこれら工程順を問わずに含み、
前記積層上片、所定数の積層中片及び積層下片に対し、前記接着層に対して前記剥離層を重ね合わせ面として重ね合わせる工程と、
前記接着層に対して前記剥離層を重ね合わせ面として重ね合わせた前記積層上片、所定数の積層中片及び積層下片を押圧して剥離可能に接着させる工程と、
を含むことを特徴とする重ね合わせ接着シートの製造方法。
【発明の詳細な説明】
【技術分野】
【０００１】
本発明は、後に剥離可能な接着層により積層片を重ね合わせて接着させる重ね合わせ接着シートの製造方法に関する。
【背景技術】
【０００２】
近年、剥離自在に重ね合わせ接着された接着シートは、帳票、封書、はがき、パンフレット、冊子等に広く用いられるようになってきており、なかには２面以上の重ね面で剥離させるものも一般的になってきている。特に、２面以上の重ね合わせ接着シートにおいては、複数の積層片のそれぞれの剥離に際して一の積層片の剥離強度（接着強度）と他の積層片の剥離強度（接着強度）とが略等しいことが好ましい。
【０００３】
従来、後に剥離開封して情報等を認識させる重ね合わせ接着シートは種々知られており、例えば特許文献１に記載されている圧着はがきに適用されるものとして広く知られている。
【０００４】
ここで、図６に、従来の圧着はがきの説明図を示す。図６（Ａ）において、圧着はがきを構成する第１片１０２、第２片１０３、第３片１０４が折り線１０５で連設され、当該第１片１０２及び第２片１０３の一方面に剥離可能な接着剤により第１接着層１１１Ａが形成され、当該第２片１０３及び第３片１０４の他方面に上記同じ剥離可能な接着剤により第２接着層１１１Ｂが形成される。
【０００５】
そして、図６（Ｂ）に示すように、第２片１０３に第１片１０２を折り重ね、また、第２片１０３に第３片１０４を折り重ねて圧着させることで図６（Ｃ）に示すような圧着はがき１０１が作製されるものである。
【先行技術文献】
【特許文献】
【０００６】
【特許文献１】特開平０４−２０８４９８号公報
【発明の概要】
【発明が解決しようとする課題】
【０００７】
ところで、図６（Ａ）に示す第１接着層１１１Ａと第２接着層１１１Ｂの形成は、一の形成ユニットで行われるものでなく、同一機構であっても異なる形成ユニットで行われ、一の形成ユニットで第１片１０２及び第２片１０３の一方面に剥離可能な接着剤が塗布、乾燥されて第１接着層１１１Ａが形成された後に、他の形成ユニットで第２片１０３及び第３片１０４の他方面に同じ接着剤が塗布、乾燥されて第２接着層１１１Ｂが形成されるものである。
【０００８】
すなわち、第１接着層１１１Ａが所定の形成ユニットで形成された後に、第２接着層１１１Ｂを他の形成ユニットで形成させる場合には、接着剤の塗布厚をたとえ同一に設定しても異なるユニット間では実質的に異なってくるものであり、また、後工程での乾燥処理が他面の当該第１接着層１１１Ａに影響を及ぼすために、図６（Ｃ）に示すように、第１片１０２及び第２片１０３間の第１接着層１１１Ａ同士の接着層１１２の接着力（剥離力）と、第２片１０３及び第３片１０４間の第２接着層１１１Ｂ同士の接着層１１３の接着力（剥離力）とは、同じ接着剤が用いられ、塗布厚を同一に設定されていても同じにはならず、一方で圧着は一時に行うことから各接着層間での圧力コントロールができずに接着力差がなくなるような品質管理を行うことが困難であるという問題がある。
【０００９】
そこで、本発明は上記課題に鑑みなされたもので、複数の積層片間の接着力差を生じさせることを抑制して品質管理を容易とさせる重ね合わせ接着シートの製造方法を提供することを目的とする。
【課題を解決するための手段】
【００１０】
上記課題を解決するために、請求項１の発明では、積層上片、所定数の積層中片及び積層下片が剥離可能に重ね合わせ接着される重ね合わせ接着シートの製造方法であって、連設されている前記積層上片及び積層中片の一方面に対し、一括して接着層を形成させる工程と、連設されている前記積層中片及び積層下片の他方面に対し、一括して剥離層を形成させる工程と、をこれら工程順を問わずに含み、前記積層上片、所定数の積層中片及び積層下片に対し、前記接着層に対して前記剥離層を重ね合わせ面として重ね合わせる工程と、前記接着層に対して前記剥離層を重ね合わせ面として重ね合わせた前記積層上片、所定数の積層中片及び積層下片を押圧して剥離可能に接着させる工程と、を含む構成とする。
【発明の効果】
【００１１】
本発明によれば、積層上片及び所定数の積層中片の一方面に一括して接着剤による接着層及び、連設されている当該積層中片及び積層下片の他方面に一括して剥離剤による剥離層をその工程順を問わずに形成させ、連設されている当該積層上片、所定数の積層中片及び積層下片に対し、当該接着層に対して剥離層を重ね合わせ面とさせ、圧着部により押圧して剥離可能に接着する構成として、接着層及び剥離層の形成を一括して行わせて接着層と剥離層とを重ね合わせ接着させることから複数の積層片間の接着力差を生じさせることを抑制して品質管理を容易とさせる重ね合わせ接着シートを作製させることができるものである。
【図面の簡単な説明】
【００１２】
【図１】本発明に係る重ね合わせ接着シートの製造方法における一実施形態の製造工程の構成図である。
【図２】複数の積層中片が用いられる重ね合わせ接着シートの製造工程の構成図である。
【図３】本発明に係る重ね合わせ接着シートを往復はがきに適用した場合の説明図である。
【図４】図３の往復はがきの製造工程の説明図（１）である。
【図５】図３の往復はがきの製造工程の説明図（２）である。
【図６】従来の圧着はがきの説明図である。
【発明を実施するための形態】
【００１３】
以下、本発明の実施形態を図により説明する。なお、この実施形態における各断面図は、理解を容易にするために寸法（特に厚み）を無視している。
【００１４】
図１に、本発明に係る重ね合わせ接着シートの製造方法における一実施形態の製造工程の構成図を示す。ここで、製造装置について、図示しないが、概略的に接着剤塗布部、第１乾燥部、剥離剤塗布部、第２乾燥部、断裁部、位置合わせ部及び圧着部を少なくとも備える。
【００１５】
まず、図１（Ａ）において、積層上片１２、積層中片１３及び積層下片１４が片断裁ライン１５（特に形成させなくともよく、また、ミシン線を形成してもよい）により連設された紙類等のシート基体に対し、図１（Ｂ）に示すように、積層上片１２及び積層中片１３の一方面（下面）に接着剤塗布部により剥離可能な接着剤を適宜な厚さで一括して塗布し、第１乾燥部により乾燥させることで接着層２１を形成する。剥離可能な接着剤としては、水性エマルジョン系の接着剤や接着性のあるニス（例えば紫外線硬化型のニス）などが使用され、従前の圧着はがき等に使用されるものと同様のものである。
【００１６】
続いて、図１（Ｃ）に示すように、積層中片１３及び積層下片１４の他方面（上面）に剥離剤塗布部により剥離剤を適宜な厚さで一括して塗布し、第２乾燥部により乾燥させることで剥離層２２を形成する。剥離剤としては、通常知られている剥離紙などで用いられている例えばシリコンなどを含有するものが使用される。なお、先に剥離層２２を形成した後に接着層２１を形成させる工程としてもよく、これら工程順を問うものではない。
【００１７】
そこで、図１（Ｄ）に示すように、断裁部により片断裁ライン１５で断裁して単片の積層上片１２、積層中片１３及び積層下片１４とする。続いて、図１（Ｅ）に示すように、位置合わせ部において積層上片１２の接着層２１と積層中片１３の剥離層２２とを重ね合わせ面として位置合わせすると共に、積層中片１３の接着層２１と積層下片１４の剥離層２２とを重ね合わせ面として位置合わせする。
【００１８】
そして、図１（Ｆ）に示すように、圧着部５１Ａ，５１Ｂにおいて圧着することで、図１（Ｇ）に示す重ね合わせ接着シート１１とさせるものである。すなわち、積層上片１２と積層中片１３と間の第１重ね接着層３１と、積層中片１３と積層下片１４との間の第２重ね接着層３２とは、共に一括して形成された接着層２１と剥離層２２との組み合わせとなるもので、これらは略同一の接着力（剥離力）となるものである。
【００１９】
ところで、上記形態においては、接着層２１を形成する接着剤の塗布厚と、剥離層２２を形成する剥離剤の塗布厚とを、適宜な厚さとして説明したが、特に接着剤の塗布厚を設定することによって接着力を制御することができると共に、剥離の際に剥離対象の積層片をカールし難くさせることができるというさらなる効果をも有する。
【００２０】
なお、接着層２１及び剥離層２２を形成させる接着剤及び剥離剤の塗布パターンは、互いにいわゆるベタ塗でもよいが、塗布パターンのうち、一方をベタ塗として他方を網点状またはストライプ状とすることによっても接着力（剥離力）をある程度制御することができ、また、剥離の際のカール発生をも回避させることができるものである。
【００２１】
続いて、図２に、複数の積層中片が用いられる重ね合わせ接着シートの製造工程の構成図を示す。ここでは、上述の製造装置で製造されるものとして、図２（Ａ）に示すように積層上片１２、２つの第１積層中片１３Ａ、第２積層中片１３Ｂ及び積層下片１４が片断裁ライン１５（特に形成させなくともよく、また、ミシン線を形成してもよい）により連設された紙類等のシート基体より４層の重ね合わせ接着シートを製造する場合について示している。なお、積層中片を３つ以上で構成させることとしても同様である。
【００２２】
図２（Ｂ）において、積層上片１２、第１積層中片１３Ａ及び第２積層中片１３Ｂの一方面（下面）に接着剤塗布部により剥離可能な接着剤を所定の厚さで一括して塗布し、第１乾燥部により乾燥させることで接着層２１を形成する。剥離可能な接着剤としては、図１（Ｂ）と同様である。続いて、図２（Ｃ）に示すように、第１積層中片１３Ａ及び第２積層中片１３Ｂ及び積層下片１４の他方面（上面）に剥離剤塗布部により剥離剤を所定の厚さで一括して塗布し、第２乾燥部により乾燥させることで剥離層２２を形成する。使用される剥離剤としては、図１（Ｃ）と同様である。
【００２３】
そこで、図２（Ｄ）に示すように、断裁部により片断裁ライン１５で断裁して単片の積層上片１２、第１積層中片１３Ａ、第２積層中片１３Ｂ及び積層下片１４とする。続いて、図２（Ｅ）に示すように、位置合わせ部において積層上片１２の接着層２１と第１積層中片１３Ａの剥離層２２とを重ね合わせ面として位置合わせすると共に、第１積層中片１３Ａの接着層２１と第２積層中片１３Ｂの剥離層２２とを重ね合わせ面として位置合わせし、また、第２積層中片１３Ｂの接着層２１と積層下片１４の剥離層２２とを重ね合わせ面として位置合わせする。
【００２４】
そして、図２（Ｆ）に示すように、圧着部５１Ａ，５１Ｂにおいて圧着することで、図２（Ｇ）に示す重ね合わせ接着シート１１とさせるものである。すなわち、積層上片１２と第１積層中片１３Ａと間の第１重ね接着層３１（接着層２１、剥離層２２）と、第１積層中片１３Ａと第２積層中片１３Ｂとの間の第３重ね接着層３３（接着層２１、剥離層２２）と、第２積層中片１３Ｂと積層下片１４との間の第２重ね接着層３２（剥離層２２、接着層２１）との接着力（剥離力）を略同じとさせるものである。
【００２５】
このように、積層中片１３が単一の３層構造や複数の積層片で構成される積層中片１３（第１積層中片１３Ａ、最２積層中片１３Ｂ）の４層構造等の重ね合わせ接着シート１１について、接着層２１と剥離層２２とを重ね合わせ面とさせることにより、各積層片間の接着力の差が吸収されることとなり、複数の積層片間の接着力差を生じさせることを抑制して品質管理を容易とさせる重ね合わせ接着シート１１を作製させることができるものである。
【００２６】
図３に本発明に係る重ね合わせ接着シートを往復はがきに適用した場合の説明図を示すと共に、図４及び図５に図３の往復はがきの製造工程の説明図を示す。図３〜図５は、重ね合わせ接着シートを往復はがきに適用した場合を示したものとして、当該往信はがき冊子型に剥離可能に各積層片を重ね合わせたものである。なお、接着層及び剥離層に関しては図１等で説明したものと同様である。
【００２７】
図３（Ａ）、（Ｂ）において、往復はがき４１は、往信はがき４２と返信はがき４３とにより構成され、往信はがき４２が本発明に係る重ね合わせ接着シート１１に相当する。往信はがき４２は、積層上片１２、積層中片１３及び積層下片１４により構成され、積層中片１３に返信はがき４３が切取ライン４３Ａにより連設される。当該積層中片１３及び返信はがき４３ははがき大のもので、その幅方向において積層中片１３より積層上片１２及び積層下片１４を小とし、当該積層中片１３の差分領域の上面に「郵便往復はがき」の文字が視認できるように形成される。なお、返信ハガキ４３は、他の積層片（積層上片１２又は積層下片１４）と連設させることとしてもよい。
【００２８】
積層上片１２の一方面である下面には所定の情報が形成されると共に、接着層２１が形成され、また、上面には往信はがきとしての宛名情報等が形成される。なお、返信はがき４３の下面には返信用としての宛名情報等が形成され、上面には所定の情報が形成される。また、積層下片１４の他方面である上面には剥離層２２が形成されると共に、返信はがき４３側の端部に強接着系の接着剤（例えばホットメルト）による接着綴じ層４５が形成される。なお、積層下片１４の下面には積層中片１３の情報が透かし見できないように目隠し模様が施される。
【００２９】
さらに、積層中片１３の他方面（上面）には所定の情報が形成されると共に、積層上片１２の接着層２１に対応する位置に剥離層２２が形成される。積層中片１３の一方面（下面）には所定の情報が形成されると共に、積層下片１４の剥離層２２に対応する位置に接着層２１が形成され、また、返信はがき４３側の端部に強接着系の接着剤（例えばホットメルト）による接着綴じ層４５が形成される。そして、積層上片１２の接着層２１と積層中片１３の剥離層２２を重ね合わせ面とし、積層中片１３の接着層２１と積層下片１４の剥離層２２を重ね合わせ面として圧着されることで、接着綴じ層４５で固定接着され、第１重ね接着層３１及び第２重ね合わせ接着層３２で剥離可能となるものである。
【００３０】
上記往復はがき４１は、図３（Ｃ）に示すように、着便したときに往信はがき４２における返信はがき４３と反対側の隅より積層上片１２を剥離し、また、返信はがき４３と反対側の隅より積層下片１４を剥離するもので、剥離後には冊子形態となる。そして、返信はがき４３を切取ライン４３Ａより分離し、所定情報を記入した後に投函されるものである。
【００３１】
上記のような往復はがき４１の製造について図４及び図５で示す。その製造装置については、図示しないが、概略的に接着剤塗布部、第１乾燥部、剥離剤塗布部、第２乾燥部、搬送方向断裁部、第１綴じ接着剤塗布部、第２綴じ接着剤塗布部、位置合わせ部、折り部、幅方向断裁部及び圧着部を少なくとも備える。
【００３２】
まず、図４（Ａ）において、積層上片１２、積層中片１３、返信はがき４３、積層下片１４が搬送方向断裁ライン４６を介して幅方向に連設され、さらにこれらが幅方向断裁ライン４７を介して搬送方向に連設され、搬送方向両側にマージナル部４４が搬送方向断裁ライン４６を介して設けられた連続シート４０に対して、これらの表裏に図に示すような対応の情報が印刷される。特に、印刷後に剥離可能な接着層２１を形成させるいわゆる後糊形式であり、印刷前に剥離可能な接着層２１を形成させる前糊形式における接着層上への印刷（インキ）による接着力の変動に対して、接着力が把握しやすいという利点がある。
【００３３】
そこで、図４（Ｂ）に示すように、積層上片１２及び積層中片１３の一方面（下面）の所定位置に接着剤塗布部により上記剥離可能な接着剤を一括して塗布し、第１乾燥部により乾燥させることで接着層２１を形成する。続いて、図４（Ｃ）に示すように、積層中片１３及び積層下片１４の他方面（上面）の所定位置に剥離剤塗布部により剥離剤を一括して塗布し、第２乾燥部により乾燥させることで剥離層２２を形成する。なお、接着剤を塗布する工程と剥離剤を塗布する工程との後先は問わず、剥離剤を塗布する工程を先に行ってもよい。
【００３４】
続いて、図４（Ｄ）に示すように、搬送方向断裁部により搬送方向断裁ライン４６で断裁してそれぞれ連続した積層上片１２、積層中片１３及び積層下片１４とされ、図４（Ｅ）に示すように、積層中片１３の上面であって、返信はがき４３との切取ライン４３Ａ側に剥離層２２と隣接して第１綴じ接着剤塗布部により強接着剤で接着綴じ層４５が形成され、また、別工程で積層下片１４の上面であって、積層中片１３側に剥離層２２と隣接して第２綴じ接着剤塗布部により強接着剤で接着綴じ層４５が形成される。
【００３５】
続いて、図５（Ａ）に示すように、それぞれ連続した積層上片１２、積層中片１３及び積層下片１４に対し、位置合わせ部において積層上片１２の接着層２１と積層中片１３（返信はがき４３）の剥離層２２とを重ね合わせ面として位置合わせする。次に、図５（Ｂ）に示すように、折り部において返信はがき４３を積層下片１４側に折り曲げ、図５（Ｃ）に示すように、幅方向断裁部により幅方向断裁ライン４７で断裁してそれぞれ積層上片１２、積層中片１３、積層下片１４及び折り曲げられた返信はがき４３の一単位とされる。そして、図５（Ｄ）に示すように、圧着部５１Ａ，５１Ｂにおいて圧着することで図３（Ａ）に示す返信はがき４３が折り曲げられた往復はがき４１とさせるものである。
【００３６】
なお、返信はがき４３の折り工程に関して、幅方向断裁部による断裁の後に行ってもよく、圧着部による圧着後であってもよい。また、返信はがき４３の折り方向に関して、積層下片１４に宛名を形成させた場合には積層上片１２側に折り曲げてもよいものであるが、次工程に搬送する搬送ローラとの位置関係で当該搬送ローラ側に返信はがき４３が位置されないように定めればよい。
【００３７】
このように、本発明に係る重ね合わせ接着シート１１の製造方法を往復はがき４１に適用させても、同様に、一括して形成した接着層２１に対して一括して形成した剥離層２２を重ね合わせ面とさせることにより、各積層片間で接着力の差が吸収されることとなり、複数の積層片間の接着力差を生じさせることを抑制して品質管理を容易とさせる往復はがきを作製させることができるものである。
【産業上の利用可能性】
【００３８】
本発明の重ね合わせ接着シートの製造方法は、帳票、封書、はがき、パンフレット、冊子等の製造等の産業に利用可能である。
【符号の説明】
【００３９】
１１            重ね合わせ接着シート
１２            積層上片
１３            積層中片
１４            積層下片
１５，４６      片断裁ライン
２１            接着層
２２            剥離層
３１            第１重ね接着層
３２            第２重ね接着層
３３            第３重ね接着層
４０            連続シート
４１            往復はがき
４２            往信はがき（重ね合わせ接着シート）
４３            返信はがき
４４            マージナル部
４５            接着綴じ層
５１Ａ，５１Ｂ  圧着部
【図１】
0006732469.tif 000002
【図２】
0006732469.tif 000003
【図３】
0006732469.tif 000004
【図４】
0006732469.tif 000005
【図５】
0006732469.tif 000006
【図６】
0006732469.tif 000007